(57)【要約】【課題】基地局と通信中の移動局が再発呼型ハンドオーバを行う場合、周囲に所定基準を超えるＲＳＳＩ（Ｒｅｃｅｉｖｅｄ  Ｓｉｇｎａｌ  Ｓｔｒｅｎｇｔｈ  Ｉｎｄｉｃａｔｏｒ：受信シグナル強度指標）を確保することができる基地局がない場合、移動局が保持するＦＥＲ（Ｆｒａｍｅ  Ｅｒｒｏｒ  Ｒａｔｅ）の閾（しきい）値を自動的に低下させることによって、的確なハンドオーバ処理を行うことができ、安定した通話品質を保つことができるようにする。【解決手段】基地局と通信中の移動局が再発呼型ハンドオーバを行う場合、基地局検索を行い、所定基準を超えるＲＳＳＩを確保する基地局がないときには、前記移動局が保持するＦＥＲの閾値を低下させる。【選択図】図１
2007266940.tif 000002
【特許請求の範囲】
【請求項１】
基地局と通信中の移動局が再発呼型ハンドオーバを行う場合、基地局検索を行い、所定基準を超えるＲＳＳＩを確保する基地局がないときには、前記移動局が保持するＦＥＲの閾値を低下させることを特徴とするＰＨＳ移動局ハンドオーバ契機選択方法。
【請求項２】
前記移動局は、前記ＦＥＲの閾値として第１閾値及び該第１閾値未満の第２閾値を保持し、所定基準を超えるＲＳＳＩを確保する基地局があるときには前記ＦＥＲの閾値を第１閾値に設定し、所定基準を超えるＲＳＳＩを確保する基地局がないときには前記第１閾値を第２閾値に置き換えてハンドオーバ発生契機を低く設定する請求項１に記載のＰＨＳ移動局ハンドオーバ契機選択方法。
【請求項３】
前記移動局は、前記基地局のＲＳＳＩが一定期間に亘り所定基準を超えるときには、前記ＦＥＲの閾値を第１閾値に設定する請求項２に記載のＰＨＳ移動局ハンドオーバ契機選択方法。
【発明の詳細な説明】
【技術分野】
【０００１】
本発明は、ＰＨＳ移動局ハンドオーバ契機選択方法に関するものである。
【背景技術】
【０００２】
従来、ＰＨＳ（Ｐｅｒｓｏｎａｌ  Ｈａｎｄｙ−Ｐｈｏｎｅ  Ｓｙｓｔｅｍ）システムにおける電話機等の移動通信端末、すなわち、移動局が主体のハンドオーバは、基地局から報知される「再発呼型ハンドオーバ処理レベル」又は「チャネル切替ＦＥＲ閾（しきい）値」を使用して行われるのが一般的である（例えば、特許文献１及び２参照。）。
【０００３】
ここで、「再発呼型ハンドオーバ処理レベル」は、移動局の受信レベルであるＲＳＳＩ（Ｒｅｃｅｉｖｅｄ  Ｓｉｇｎａｌ  Ｓｔｒｅｎｇｔｈ  Ｉｎｄｉｃａｔｏｒ：受信シグナル強度指標）のレベルが、該当レベルを下回った際にハンドオーバを起動するための閾値である。この場合のハンドオーバは、通信を行う相手としての基地局を周辺に存在する基地局の中から再選択して、呼接続手順から実施する必要があるので、再発呼型ハンドオーバと呼ばれる。該再発呼型ハンドオーバでは、周辺に存在する基地局の検索、及び、呼接続手順の実施が必要なため、通常、２〜３秒程度必要になる。
【０００４】
一方、「チャネル切替ＦＥＲ閾値」は、移動局のＦＥＲ（Ｆｒａｍｅ  Ｅｒｒｏｒ  Ｒａｔｅ）値が該当レベルを下回った際にハンドオーバを起動するための閾値である。この場合のハンドオーバは、通信を行う相手としての基地局は変えずに、周波数の切替のみを実施する方法なので、Ｔｃｈ（Ｔｒａｆｆｉｃ  ｃｈａｎｎｅｌ）切替と呼ばれる。該Ｔｃｈ切替では、周辺に存在する基地局の検索、及び、呼接続手順の実施が不要なため、切替時間は１秒程度である。ただし、通信を行う基地局が同じであるため、受信ＲＳＳＩレベルの向上は期待することができず、主に、干渉波によるＦＥＲの劣化に対して有効な方法である。
【０００５】
また、基地局から報知される情報は、基地局が設置された当時の状況に合わせたものであり、その後の周辺の通信環境の変化に対応していないことも多く、最適な閾値を報知していないこともある。そのため、前記「再発呼型ハンドオーバ処理レベル」、「チャネル切替ＦＥＲ閾値」等の閾値を使用せず、移動局が固有に保持している閾値を使用する場合もある。
【０００６】
この場合、移動局は、通信中にＲＳＳＩ及びＦＥＲの測定を継続的に実施し、移動局が固有に保持しているＦＥＲの閾値αよりＦＥＲ値が劣化したことを契機に切替を起動する。また、移動局は、別途保持しているＲＳＳＩの閾値βより、受信しているＲＳＳＩが高い場合はＴｃｈ切替処理を起動し、受信しているＲＳＳＩが低い場合は再発呼型ハンドオーバ処理を起動するのが一般的である。
【特許文献１】特開２０００−０５０３３７号公報
【特許文献２】特開２００１−１１２０３９号公報
【発明の開示】
【発明が解決しようとする課題】
【０００７】
しかしながら、前記従来のハンドオーバの契機を選択する方法においては、移動局と基地局との間で通話が中断して音声品質が劣化したり、ハンドオーバの失敗によって呼の切断が起こる恐れがあった。
【０００８】
図２は従来の移動局と基地局との関係を示す第１の図、図３は従来の移動局と基地局との関係を示す第２の図である。
【０００９】
図２に示されるように、ＰＨＳネットワークにおける基地局Ａと通信中の移動局Ｘが、通信中基地局としての基地局Ａ及びハンドオーバ先基地局としての基地局Ｂしかないようなエリアに位置する場合、基地局Ａのサービスエリアの端では受信ＲＳＳＩレベルが低くなり、また、再発呼型ハンドオーバ処理によって基地局Ｂに接続しても、該基地局Ｂの受信ＲＳＳＩレベルも低いことが予想される。なお、図２において、１１Ａは基地局Ａのサービスエリアとしての通信エリアを示し、１１Ｂは基地局Ｂの通信エリアを示している。そのため、フェーディング（Ｆａｄｉｎｇ）等の無線固有の状況によってＲＳＳＩやＦＥＲの劣化が発生すると、すぐに再発呼型ハンドオーバ処理が起動されることになる。
【００１０】
また、図３に示されるように、基地局Ａと基地局Ｂとの間に基地局Ｃがある場合でも、該基地局Ｃがビジーであるときには、再発呼型ハンドオーバ処理を行っても、移動局Ｘは基地局Ａ又は基地局Ｂと通信を行うことになり、図２に示されるような場合と同様に、再発呼型ハンドオーバ処理が起動される可能性が増加することになる。なお、図３において、１１Ｃは基地局Ｃの通信エリアを示している。また、前記基地局Ｃがビジーであるときとは、該基地局Ｃの無線通信チャネルのすべてが他の移動局との通信に使用されているときである。
【００１１】
そして、再発呼型ハンドオーバ処理を行う際には、通常、通話チャンネルを停止して行うので、再発呼型ハンドオーバ処理が多ければ多いほど、通話が中断して音声品質が劣化してしまう。また、再発呼型ハンドオーバ処理に失敗することによって、呼の切断が起こる恐れがあるという問題も合わせて発生する。
【００１２】
本発明は、前記従来のハンドオーバの契機を選択する方法の問題点を解決して、基地局と通信中の移動局が再発呼型ハンドオーバを行う場合、周囲に所定基準を超えるＲＳＳＩを確保することができる基地局がない場合、移動局が保持するＦＥＲの閾値を自動的に低下させることによって、的確なハンドオーバ処理を行うことができ、安定した通話品質を保つことができるＰＨＳ移動局ハンドオーバ契機選択方法を提供することを目的とする。
【課題を解決するための手段】
【００１３】
そのために、本発明のＰＨＳ移動局ハンドオーバ契機選択方法においては、基地局と通信中の移動局が再発呼型ハンドオーバを行う場合、基地局検索を行い、所定基準を超えるＲＳＳＩを確保する基地局がないときには、前記移動局が保持するＦＥＲの閾値を低下させる。
【００１４】
本発明の他のＰＨＳ移動局ハンドオーバ契機選択方法においては、さらに、前記移動局は、前記ＦＥＲの閾値として第１閾値及び該第１閾値未満の第２閾値を保持し、所定基準を超えるＲＳＳＩを確保する基地局があるときには前記ＦＥＲの閾値を第１閾値に設定し、所定基準を超えるＲＳＳＩを確保する基地局がないときには前記第１閾値を第２閾値に置き換えてハンドオーバ発生契機を低く設定する。
【００１５】
本発明の更に他のＰＨＳ移動局ハンドオーバ契機選択方法においては、さらに、前記移動局は、前記基地局のＲＳＳＩが一定期間に亘（わた）り所定基準を超えるときには、前記ＦＥＲの閾値を第１閾値に設定する。
【発明の効果】
【００１６】
本発明によれば、ＰＨＳ移動局ハンドオーバ契機選択方法においては、基地局と通信中の移動局が再発呼型ハンドオーバを行う場合、周囲に所定基準を超えるＲＳＳＩを確保することができる基地局がない場合、移動局が保持するＦＥＲの閾値を自動的に低下させるようになっている。これにより、的確なハンドオーバ処理を行うことができ、安定した通話品質を保つことができる。
【発明を実施するための最良の形態】
【００１７】
以下、本発明の実施の形態について図面を参照しながら詳細に説明する。
【００１８】
図１は本発明の実施の形態におけるＰＨＳ移動局ハンドオーバ契機選択方法を示すフローチャートである。
【００１９】
なお、本実施の形態において、ＰＨＳネットワークは、前記「発明が解決しようとする課題」において説明したものと同様であるので、図２及び３を援用する。
【００２０】
本実施の形態における移動局Ｘは、例えば、ＰＨＳ電話機、パーソナルコンピュータ等に装着されるデータ通信カード等であるが、ＰＨＳシステムにおいて無線通信を行うことができる移動可能な通信端末であれば、いかなる種類のものであってもよい。なお、ここでは、説明の都合上、移動局ＸがＰＨＳ電話機であるものとして説明する。
【００２１】
この場合、前記移動局Ｘは、アンテナを介して送受信を行う無線部、信号の変調及び復調を行うモデム部、ＴＤＭＡ−ＴＤＤ（Ｔｉｍｅ  Ｄｉｖｉｓｉｏｎ  Ｍｕｌｔｉ  Ａｃｃｅｓｓ−Ｔｉｍｅ  Ｄｉｖｉｓｉｏｎ  Ｄｕｐｌｅｘ）方式の通信を行うためのエンコード及びデコードを行うＴＤＭＡ−ＴＤＤ部、マイクロホン及びスピーカを介して音声通話を行う通話部、液晶ディスプレイ、ＬＥＤ（Ｌｉｇｈｔ  Ｅｍｉｔｔｉｎｇ  Ｄｉｏｄｅ）ディスプレイ等から成る表示手段及び番号キー等の入力手段を備えるユーザインターフェイス部、ハンドオーバ制御、発呼制御等を行う制御部、半導体メモリ等を備える記憶部、並びに、バッテリー等から成る電源部を有する。
【００２２】
また、基地局Ａ、基地局Ｂ、基地局Ｃ等の基地局は、図示されない構内交換機に通信可能に接続されている。該構内交換機は、ＰＨＳネットワーク内の呼制御機能、回線交換機能、移動局Ｘの位置情報管理機能、ＰＨＳネットワーク全体のセキュリティ保持機能等の機能を発揮する各種回路を有する。そして、前記基地局は、構内交換機の内線トランクに接続され、各基地局毎に、所定数、例えば、３本の通話用回線が設けられている。この場合、各基地局は、通話用に３つの独立した無線通信チャネルを備え、各無線通信チャネルを用い、自局のサービスエリアとしての通信エリア内において、同時に３つの移動局Ｘとの間で通信を行うことができる。なお、前記所定数は、必ずしも３本である必要はなく、任意に設定することができる。
【００２３】
そして、前記基地局は、ＴＴＣ（Ｔｅｌｅｃｏｍｍｕｎｉｃａｔｉｏｎｓ  Ｔｅｃｈｎｏｌｏｇｙ  Ｃｏｍｍｉｔｔｅｅ）規格に準拠し、前記構内交換機とのインターフェイスとして機能するＰＢＸ（Ｐｒｉｖａｔｅ  Ｂｒａｎｃｈ  ｅＸｃｈａｎｇｅ）インターフェイス部、及び、ＲＣＲ  ＳＴＤ−２８（電波産業会規格）に準拠し、前記移動局Ｘとの間での無線通信チャンネルの制御を行う無線通信制御部を有する。なお、前記基地局Ａ、基地局Ｂ及び基地局Ｃを統合的に説明する場合には、基地局として説明する。また、前記基地局の数はいくつであってもよく、例えば、４つ以上であってもよい。
【００２４】
本実施の形態において、前記移動局Ｘは、ＦＥＲの第１閾値としての閾値α１及び第２閾値としての閾値α２を保持するものとする。ここで、前記ＦＥＲの閾値α１は、移動局Ｘが通常にハンドオーバ契機として使用する閾値である。また、前記ＦＥＲの閾値α２は、通信が可能なぎりぎりのＦＥＲレベルである。そして、前記ＦＥＲの閾値α１と閾値α２との間には、次の式（１）で示される関係が成立する。
閾値α１＞閾値α２  ・・・式（１）
また、前記移動局Ｘは、ＲＳＳＩの閾値β１及び閾値β２を保持するものとする。ここで、前記ＲＳＳＩの閾値β１は、前記ＦＥＲの閾値α１によってハンドオーバが起動された際に、再発呼型ハンドオーバ処理を行うのか、又は、Ｔｃｈ切替処理を行うのかを判定するために使用する閾値である。また、前記ＲＳＳＩの閾値β２は、再発呼型ハンドオーバ処理を行う際に、周辺環境を評価するために使用する閾値である。そして、前記ＲＳＳＩの閾値β１と閾値β２との間には、次の式（２）で示される関係が成立する。
閾値β１≦閾値β２  ・・・式（２）
次に、ＰＨＳ移動局ハンドオーバ契機選択方法の動作について説明する。ここでは、図２に示されるように、基地局Ａと通信中の移動局Ｘが、通信中基地局としての基地局Ａ及びハンドオーバ先基地局としての基地局Ｂしかないようなエリアに位置する場合について説明する。
【００２５】
まず、移動局Ｘは基地局Ａと通信中である。そして、通信中において、移動局Ｘは、基地局Ａから到来する無線搬送波の受信レベルを計測し、ＲＳＳＩが閾値β２を超えているか否かを判断する。そして、一定期間に亘りＲＳＳＩが閾値β２を超えている場合、移動局Ｘは、保持しているＦＥＲの閾値をα１に設定して前述の動作を繰り返す。
【００２６】
ところで、移動局Ｘが基地局Ａと通信を行うために、該基地局Ａに対して位置登録操作を行うと、基地局Ａは移動局ＸにＦＥＲの基準値を転送する。そして、前記移動局Ｘは、ＦＥＲが所定基準以下であるか否かを測定するようになっている。そのため、ＲＳＳＩが閾値β２を超えていない場合、移動局Ｘは測定したＦＥＲがＦＥＲの閾値を超えたか否かを判断する。なお、該ＦＥＲの閾値はα１に設定されたものである。そして、測定したＦＥＲがＦＥＲの閾値α１を超えている場合には、ハンドオーバの必要がないので、再び、ＲＳＳＩが閾値β２を超えているか否かを判断して前述の動作を繰り返す。
【００２７】
また、測定したＦＥＲがＦＥＲの閾値α１を超えていない、すなわち、閾値α１以下である場合、ハンドオーバの必要があるので、移動局Ｘは、ハンドオーバを起動し、続いて、ＲＳＳＩが閾値β１を超えているか否かを判断する。そして、ＲＳＳＩが閾値β１を超えている場合には、Ｔｃｈ切替処理を起動して周波数の切替を行い、再び、ＲＳＳＩが閾値β２を超えているか否かを判断して前述の動作を繰り返す。
【００２８】
一方、ＲＳＳＩが閾値β１を超えていない、すなわち、閾値β１以下である場合、移動局Ｘは、再発呼型ハンドオーバ処理を起動し、基地局検索を行い、基地局Ａ以外に通信可能な基地局があるか否かをチェックする。この場合、移動局Ｘは、検索した基地局Ｂから到来する無線搬送波の受信レベルを計測し、ＲＳＳＩが閾値β２を超えているか否かを判断する。
【００２９】
そして、ＲＳＳＩが閾値β２を超えている場合、移動局Ｘは、保持しているＦＥＲの閾値をα１に設定して再発呼手順を行う。そして、基地局Ｂと通信を行って前述の動作を繰り返す。また、ＲＳＳＩが閾値β２を超えていない場合、移動局Ｘは、保持しているＦＥＲの閾値をα２に設定して再発呼手順を行う。
【００３０】
このように、移動局Ｘは、基地局と通信中にＦＥＲが閾値α１を下回り、さらに、ＲＳＳＩが閾値β１以下になると、再発呼型ハンドオーバ処理を行うようになっている。この場合、基地局検索を行って通信を行うのに十分なＲＳＳＩレベルに該当する閾値β２を超える基地局が存在するか否かを判断し、閾値β２を超える基地局が存在しない場合、移動局Ｘは、周辺環境をＰｏｏｒと位置付け、ＦＥＲの閾値をα１より低いα２に置き換えてハンドオーバ発生契機を低く設定する。また、閾値β２を超える基地局が存在しても、ハンドオーバの結果、ビジーである等の理由によって該当基地局に接続することができなかった場合には、移動局Ｘは、やはり周辺環境をＰｏｏｒと位置付け、ＦＥＲの閾値をα２に設定する。一方、閾値β２を超える基地局に接続することができた場合、移動局Ｘは、周辺環境をＲｉｃｈと位置付け、ＦＥＲの閾値をα１に設定し、ハンドオーバ発生契機を通常状態に設定する。
【００３１】
なお、Ｐｏｏｒ環境において、接続中の基地局のＲＳＳＩが一定期間に亘り閾値β２を超えた場合、移動局Ｘは、移動を行っていると判断することができるため、周辺環境をＲｉｃｈと置き換え、ＦＥＲの閾値をα１に再設定する。  
【００３２】
次に、フローチャートについて説明する。
ステップＳ１  移動局Ｘは基地局Ａと通信中である。
ステップＳ２  ＲＳＳＩが閾値β２を超えているか否かを判断する。ＲＳＳＩが閾値β２を超えている場合はステップＳ３に進み、ＲＳＳＩが閾値β２を超えていない場合はステップＳ４に進む。
ステップＳ３  保持しているＦＥＲの閾値をα１に設定する。
ステップＳ４  測定したＦＥＲがＦＥＲの閾値を超えたか否かを判断する。測定したＦＥＲがＦＥＲの閾値を超えた場合はステップＳ２に戻り、測定したＦＥＲがＦＥＲの閾値を超えていない場合はステップＳ５に進む。
ステップＳ５  ＲＳＳＩが閾値β１を超えているか否かを判断する。ＲＳＳＩが閾値β１を超えている場合はステップＳ６に進み、ＲＳＳＩが閾値β１を超えていない場合はステップＳ７に進む。
ステップＳ６  Ｔｃｈ切替処理を起動して周波数の切替を行う。
ステップＳ７  基地局検索を行う。
ステップＳ８  ＲＳＳＩが閾値β２を超えているか否かを判断する。ＲＳＳＩが閾値β２を超えている場合はステップＳ９に進み、ＲＳＳＩが閾値β２を超えていない場合はステップＳ１０に進む。
ステップＳ９  保持しているＦＥＲの閾値をα１に設定する。
ステップＳ１０  保持しているＦＥＲの閾値をα２に設定する。
ステップＳ１１  再発呼手順を行う。
【００３３】
このように、本実施の形態においては、再発呼型ハンドオーバを行う際の基地局検索の結果、検索された基地局から到来する無線搬送波の受信レベルであるＲＳＳＩが所定基準である閾値β２を超えていない場合にのみ、移動局Ｘが保持するＦＥＲの閾値を自動的に下げるようになっている。そのため、次回のハンドオーバ契機を低く抑えることができる。また、基地局のサービスエリアの端における低速移動状態や停止状態のように、受信レベルの変動が少ない場合においては、無用なハンドオーバの発生回数を減少させることが可能になり、無音時間を減少させることができ、また、ハンドオーバの失敗による切断の回数を抑制することができる。
【００３４】
なお、本発明は前記実施の形態に限定されるものではなく、本発明の趣旨に基づいて種々変形させることが可能であり、それらを本発明の範囲から排除するものではない。
【図面の簡単な説明】
【００３５】
【図１】本発明の実施の形態におけるＰＨＳ移動局ハンドオーバ契機選択方法を示すフローチャートである。
【図２】従来の移動局と基地局との関係を示す第１の図である。
【図３】従来の移動局と基地局との関係を示す第２の図である。
【図１】
2007266940.tif 000003
【図２】
2007266940.tif 000004
【図３】
2007266940.tif 000005